【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
エンジンによって生じる排気をサンプリングするためのシステムであって、
前記エンジンから離れる排気の排気流量を測定し、前記排気流量を示す排気流量成分と、１回目のサンプリングに関連付けられた第１の機器のタイムスタンプ成分とを含む第１の信号を生成する第１の機器；
汚染物質濃度を測定し、前記汚染物質濃度を示す汚染物質濃度成分と、１回目のサンプリングに関連付けられた第２の機器のタイムスタンプ成分とを含む第２の信号、及び、前記第１の信号と前記第２の機器のタイムスタンプ成分とによる影響を受けた第３の信号を生成する第２の機器；及び、
前記第１の信号、前記第２の信号及び前記第３の信号を受信及び処理し、前記第１の信号と前記第２の信号との間の時間的関係を、前記第１の信号の前記排気流量成分及び前記第１の機器のタイムスタンプ成分を前記第３の信号及び前記第３の信号の前記第２の機器のタイムスタンプ成分と比較することによって決定する同期モジュール、を備えるシステム。
【請求項２】
前記同期モジュールが、前記第１の信号の前記第１の機器のタイムスタンプと前記第３の信号の前記第２の機器のタイムスタンプとを分離するタイムシフト値を決定する請求項１に記載のシステム。
【請求項３】
前記同期モジュールが、前記第１の信号と前記第２の信号との間の前記時間的関係を、前記第１の信号と前記第３の信号との間の前記タイムシフト値と同一視する請求項２に記載のシステム。
【請求項４】
前記同期モジュールが、前記タイムシフト値を前記第１の信号の前記第１の機器のタイムスタンプ成分から減算することによって、前記第１の信号と前記第２の信号との時刻合わせを行い、同期された排気流量成分を有する同期された第１の信号を生成する請求項３に記載のシステム。
【請求項５】
前記同期モジュールが、前記同期された第１の信号の前記同期された排気流量成分と前記第２の信号の前記汚染物質濃度成分との積を計算することによって、汚染物質の質量流量を計算する請求項４に記載のシステム。
【請求項６】
前記第１の機器が、試験間隔の間の異なる時間に前記排気流量を測定し、第１のタイムスケールによって間隔を置かれた複数のデータ対を含む第１のアレイを生成し、前記第１のアレイの各データ対は、前記排気流量及び前記第１の機器のタイムスタンプを示している請求項１に記載のシステム。
【請求項７】
前記第２の機器が、前記試験間隔の間の異なる時間に前記汚染物質濃度を測定し、第２のタイムスケールによって間隔を置かれた複数のデータ対を含む第２のアレイを生成し、前記第２のアレイの各データ対は、前記汚染物質濃度及び前記第２の機器のタイムスタンプを示している請求項６に記載のシステム。
【請求項８】
前記第２の機器が、前記試験間隔の間の異なる時間に前記第３の信号を測定し、第２のタイムスケールによって間隔を置かれた複数のデータ対を含む第３のアレイを生成し、前記第３のアレイの各データ対は、前記影響を受けた信号及び前記第２の機器のタイムスタンプを示している請求項６に記載のシステム。
【請求項９】
前記同期モジュールが、前記第１のアレイと第２のアレイとの間の時間的関係を、前記第１のアレイと前記第２のアレイとを比較することによって決定し、前記第１のアレイを、前記第１のアレイと前記第２のアレイとの間の前記時間的関係に基づく前記第２のタイムスケールに変換し、それによって、同期された第１のアレイを生成し、前記同期された第１のアレイと前記第２のアレイとの積を計算することによって、前記試験間隔の間の異なる時間に関する汚染物質の質量流量を計算する請求項８に記載のシステム。
【請求項１０】
排気サンプリングシステムの信号の同期方法であって、
第１の機器からの第１の信号を検出するステップであって、前記第１の信号が、エンジンからの排気流量を示す排気流量成分と、１回目のサンプリングに関連付けられた第１の機器のタイムスタンプ成分とを含んでいるステップ；
第２の機器からの第２の信号を検出するステップであって、前記第２の信号が、前記第２の機器内の排気の汚染物質濃度を示す汚染物質濃度成分と、１回目のサンプリングに関連付けられた、第２の機器のタイムスタンプ成分とを含んでいるステップ；
前記第２の機器からの第３の信号を検出するステップであって、前記第３の信号が、前記第１の機器内の排気流量と、前記第３の信号に関連付けられた前記第２の機器のタイムスタンプ成分とによって影響を受けているステップ；及び、
前記第１の信号と前記第２の信号との間の時間的関係を、前記第１の信号の前記排気流量成分及び前記第１の機器のタイムスタンプ成分を前記第３の信号及び前記第３の信号の前記第２の機器のタイムスタンプ成分と比較することによって決定するステップ、を備える方法。
【請求項１１】
前記第１の信号の前記第１の機器のタイムスタンプと前記第３の信号の前記第２の機器のタイムスタンプとを分離するタイムシフト値を決定するステップをさらに備える請求項１０に記載の方法。
【請求項１２】
前記第１の信号と前記第２の信号との間の前記時間的関係を、前記第１の信号と前記第３の信号との間の前記タイムシフト値と同一視するステップをさらに備える請求項１１に記載の方法。
【請求項１３】
前記タイムシフト値を前記第１の信号の前記第１の機器のタイムスタンプ成分から減算することによって、前記第１の信号と前記第２の信号との時刻合わせを行い、同期された排気流量成分を有する同期された第１の信号を生成するステップをさらに備える請求項１２に記載の方法。
【請求項１４】
前記同期された第１の信号の前記同期された排気流量成分と前記第２の信号の前記汚染物質濃度成分との積を計算することによって、汚染物質の質量流量を計算するステップをさらに備える請求項１３に記載の方法。
【請求項１５】
前記第１の信号及び前記第３の信号に関係する、
【数１】
2015519585.tif 000001
で表される数学的同時性関数を積分すること；
前記第１の信号及び前記第３の信号を、ドメインに基づく時間からドメインに基づく周波数へと、
【数２】
2015519585.tif 000002
で表されるフーリエ変換を前記第１の信号及び前記第３の信号に適用することによって変換すること；
前記第１の信号及び前記第３の信号の複素共役を乗じて、前記ドメインに基づく周波数に関する信号の積を生成すること；
前記信号の積を、前記ドメインに基づく周波数から前記ドメインに基づく時間に変換し、
【数３】
2015519585.tif 000003
で規定されるラグ関数を生成すること；及び、
前記ラグ関数のピークを特定し、
【数４】
2015519585.tif 000004
で表される前記タイムシフト値を決定すること、
によって、前記第１の信号と前記第３の信号との間のタイムラグを識別するステップと、
前記ドメインに基づく周波数に関する前記第１の信号及び前記第３の信号の、所定の下限に満たない部分を切り落として、周囲空気の圧力の変化から生じる低周波の変動を除去するステップと、
をさらに備える請求項１４に記載の方法。
【請求項１６】
試験間隔を決定するために、１回目から所定の数の時間単位で隔てられた２回目に請求項１３に記載の方法のステップを繰り返すステップ；
前記試験間隔の間の異なる時間に前記第１の信号をサンプリングし、第１のタイムスケールによって間隔を置かれた複数のデータ対を含む第１のアレイを生成するステップであって、各データ対はエンジンからの排気流量と対応する第１の機器のタイムスタンプとを示しているステップ；
前記試験間隔の間の異なる時間に前記第２の信号をサンプリングし、第２のタイムスケールによって間隔を置かれた複数のデータ対を含む第２のアレイを生成するステップであって、各データ対は前記第２の機器内の排気の汚染物質濃度と対応する第２の機器のタイムスタンプとを示しているステップ；
前記試験間隔の間の異なる時間に前記第３の信号をサンプリングし、前記第２のタイムスケールによって間隔を置かれた複数のデータ対を含む第３のアレイを生成するステップであって、各データ対は前記第２の機器内の排気のフィルタ流量と対応する前記第２の機器のタイムスタンプとを示しているステップ；
前記第１のアレイと前記第２のアレイとの間の時間的関係を、前記第１のアレイと前記第２のアレイとを比較することによって決定するステップ；
前記第１のアレイを、前記第１のアレイと前記第２のアレイとの間の時間的関係に基づく前記第２のタイムスケールに変換し、同期された第１のアレイを生成するステップ；及び、
前記試験間隔の間の異なる時間に関する汚染物質の質量流量を、前記同期された第１のアレイと前記第２のアレイとの積を計算することによって計算するステップ、をさらに備える請求項１３に記載の方法。
【請求項１７】
前記第１のアレイ及び前記第３のアレイを、
【数５】
2015519585.tif 000005
【数６】
2015519585.tif 000006
で表される２つの連続する時間関数として決定すること、及び、
前記第１のアレイを、
【数７】
2015519585.tif 000007
を解くことによって前記第２のタイムスケールに変換することによって、
前記第１のアレイを前記第３のアレイと時刻合わせするステップをさらに備える請求項１６に記載の方法。